(57)【要約】【課題】    インターネットビデオ会議が可能なデジタルボードの提供。【解決手段】    本考案のインターネットビデオ会議が可能なデジタルボードは、インターネットによりビデオとオーディオ伝送が実施できるデジタルボードで、その構造は、主に、デジタルボードとコンピュータを連接し、デジタルボードが連設、或いは、内建するラッパ、マイクロフォン、或いは、ハブにより、直接、デジタルボードから音声とビデオを伝送し、デジタルボードはインターネットを基礎機構として、インターネット会議、書き込み、ビデオ使用機能と付加価値を達成するものである。【選択図】    図２
0003123482.tif 000002
【実用新案登録請求の範囲】
【請求項１】
インターネットビデオ会議が可能なデジタルボードであって、デジタルボードを主体とすると共にコンピュータと連結され、インターネットを基礎構造とし、インターネットの「書き込み」とコミュニケーションを実施するデジタルボードであって、その特徴は、
デジタルボード内部はラッパとマイクロフォンを内建し、音声はマイクロフォンにより受信され、前記デジタルボードにより対向するコンピュータ、或いは、デジタルボードに伝送されて、ボイスを伝送し、対向するコンピュータ、或いは、デジタルボードを経て、インターネットにより前記デジタルボードに送り、前記ラッパにより対向が伝達する音声を再生することを特徴とするインターネットビデオ会議が可能なデジタルボード。
【請求項２】
前記デジタルボードはマイクロフォンとラッパ（イヤフォン）の挿孔を有し、マイクロフォンとラッパ（イヤフォン）を挿接し、「書き込み」とコミュニケーションを実行することを特徴とする請求項１に記載のインターネットビデオ会議が可能なデジタルボード。
【請求項３】
前記デジタルボードはハブにより一つ、或いは、数個のUSBのカメラを連接し、ビデオ伝送功能を達することを特徴とする請求項１に記載のインターネットビデオ会議が可能なデジタルボード。
【請求項４】
前記デジタルボードは内建式カメラを採用し、同等の伝送効果を達することを特徴とする請求項１に記載のインターネットビデオ会議が可能なデジタルボード。
【考案の詳細な説明】
【技術分野】
【０００１】
本考案はインターネットビデオ会議が可能なデジタルボードに関し、詳細には、インターネットによりビデオと音声伝送が実施できるデジタルボードに関する。
【背景技術】
【０００２】
近年、デジタルボードの使用は新しい趨勢である以外に、コンピュータ情報の入力補助ツールで、入力、保存、携帯使用、及び、ウィンド表示等の便利性がある。よって、情報産業で重視される以外に、一般の消費者にも歓迎されている。
【０００３】
現在、デジタルボード製品は図１で示されるように、高効率の書き込みと強大なデータ保存功能を有し、デジタルボード（A１）中にデジタルペン（A２）を有する。ラッパ（A3）、イヤフォン（A４）、及び、マイクロフォン（A４１）は、それぞれ、コンピュータ（A５）と連設されなければならず、実施対象は制限を受ける。しかし、インターネット機構下、デジタルボードによりインターネットビデオ会議を実行する理念と技術は、対照できる前例がない。音声とビデオ機能を有するデジタルボードは需要と技術に応じて決定し、特に、早期のコンピュータはハードウェアとソフトウェア設備の不足で、電信伝送技術が唯一の選択であり、相関する電信技術、或いは、衛星電信技術により伝送を実行しなければならない。
【０００４】
しかし、今日、コンピュータとソフトウェア設計は多様化し、高性能の使用範囲と機能が開発され、情報業がなせなかった領域を達成し、電信産業の革新を帯動して、インターネットボイスは新しい趨勢の商品となり、インターネットビデオとボイスの達成のために、ソフトウェア以外に、インターネットボイス器はボイス伝送のインターフェースを提供する。インターネットボイス器の代表的な商品には、まず「耳掛け式ボイス器」がある。
【０００５】
耳掛け式ボイス器は近来の新型商品で、掛置装置と形式上に設計があるのみで、操作と使用がもう一つの領域に属し、本案のデジタルボードと関係しない。本案は更に強大な書き込み情報の伝達を提供する。よって、デジタルボードと耳掛け式ボイス器は異なる使用範囲と効能下で、高効率のボイス、ビデオ、書き込み伝送の三者一体のインターネットビデオ会議功能を有する。
【考案の開示】
【考案が解決しようとする課題】
【０００６】
本考案の目的は、インターネットビデオ会議が可能なデジタルボードを提供し、インターネットボイス／ビデオを受信、伝送する機能を有する構造で、デジタルボードは「インターネットボイスとビデオ」の使用機能下で、インターネットを基礎として双方向の会談、書き込み、ビデオ等の功能を増し、デジタルボードの付加価値を増加させ、公知の単純なデジタルボードと異なり、インターネットボイス／ビデオ功能の領域に達し、功能増進、便利性、高使用性を達成することにある。
【課題を解決するための手段】
【０００７】
本考案のインターネットビデオ会議が可能なデジタルボードは、デジタルボードを基本配備とし、インターネットボイス構造とビデオ素子を配置して、現有のインターネットボイスコミュニケーションツールと現有の功能が制限されたデジタルボードを代替し、デジタルボードの使用範囲と付加価値を増す。同時に、デジタルボード、ラッパ、マイクロフォンとカメラの四つの信号は、それぞれ、独立連線作業により互いに影響しない。この他、本案はデジタルボードに内建されたメインラッパ、サブラッパの設計により、マルチメディアラッパを形成し、ラッパにより直接音楽が再生でき、多功能が集約されたデジタルボードを得る。
【考案の効果】
【０００８】
本考案により、双方向の会談、書き込み、ビデオ等の功能を増し、デジタルボードの付加価値を増加させ、公知の単純なデジタルボードと異なり、インターネットボイス／ビデオ功能の領域に達し、功能増進、便利性、高使用性を達成する。
【考案を実施するための最良の形態】
【０００９】
図２は本考案の第一実施例を示す図で、デジタルボード内部にラッパ（１１）（メインラッパとサブラッパ）とマイクロフォン（１２）を内建し、音声がマイクロフォン（１２）により受信後、デジタルボード（１）を経て、コンピュータ、或いは、デジタルボードに伝送されて、音声伝送を実行する。ラッパは対向するコンピュータかデジタルボードを経て、インターネットによりデジタルボード（１）に送られ、ラッパ（１１）により音声を再生する。本案のデジタルボード（１）はコンピュータ（２）と連結され、コンピュータネットワーク機構下で、「書き込み」とインタラクティブな「インターネット音声」のコミュニケーションを実行することができる高価値の「インターネットボイスと書き込み型デジタルボード」である。
【００１０】
図３は本考案の第二実施例を示す図で、デジタルボード（１）は同様にコンピュータ（２）と連結され、インターネットを基礎機構とし、「ビデオ」「書き込み」、及び、インタラクティブな「インターネットボイス」コミュニケーションを実行する「インターネットビデオ音声と書き込み型デジタルボード（１）」は、以下のような構造である。マイクロフォン（12）、或いは、ラッパ（或いは、イヤフォン）（11）は連設の方式により、デジタルボード（１）に挿設され、且つ、デジタルボード内には内建方式でカメラ（１４）を設置する。デジタルボード（１）上にマイクロフォンとラッパ（イヤフォン）を挿入する挿孔を有し、それらを挿接している。音声はマイクロフォン（12）により受信され、デジタルボード（１）により対向するコンピュータ、或いは、デジタルボードに伝送される。音声は、対向コンピュータ、或いは、デジタルボードにより、インターネットでデジタルボード（１）に送り、ラッパ（11）により再生される。内建式のカメラ（１４）は画像をデジタルボード（１）により伝送する。
【００１１】
最後に、図４は本考案の第三実施例を示し、デジタルボード（１）は同様にコンピュータ（２）と連結され、インターネットを基礎機構とし、「ビデオ」「書き込み」、及び、インタラクティブな「インターネットボイス」コミュニケーションを実行する「インターネットビデオ音声と書き込み型デジタルボード（１）」は、以下のような構造である。マイクロフォン（12）、或いは、ラッパ（或いは、イヤフォン）（11）は連設の方式により、デジタルボード（１）に挿設し、ハブ（１３）により一つ、或いは、それ以上のUSBのカメラ（１４）を連接し、ビデオをデジタルボード（１）により対向するコンピュータ、或いは、デジタルボードに伝送する。デジタルボードは、具体的な構造中で、マイクロフォンとラッパ（イヤフォン）の挿孔と、連接を拡充するハブを有して、マイクロフォン（12）、ラッパ（11）とカメラ（１４）を連設し、ビデオ、音声はカメラ（１４）とマイクロフォン（12）により受信された後、デジタルボード（１）を経て、対向するコンピュータ、或いは、デジタルボードに伝送し、インターネットビデオ伝送を実行する。音声は、対向するコンピュータ、或いは、デジタルボードにより、インターネットでデジタルボード（１）に伝送されると共に、ラッパ（イヤフォン）（11）により再生される。
【００１２】
本考案の設計と精神を変更しない原則下で、本考案は第三実施例において、マイクロフォン（１１）、或いは、ラッパ（１２）をデジタルボード（１）内部に内建し、同様に、「ビデオ」「書き込み」、及び、インタラクティブな「インターネット音声」コミュニケーションを実行することができる。
【図面の簡単な説明】
【００１３】
【図１】公知のデジタルボードの基礎機構を示す図である。
【図２】本考案の第一実施例を示す図である。
【図３】本考案の第二実施例を示す図である。
【図４】本考案の第三実施例を示す図である。
【符号の説明】
【００１４】
１        デジタルボード
12      マイク
11      ラッパ
１３      ハブ
１４      カメラ
２        コンピュータ
【図１】
0003123482.tif 000003
【図２】
0003123482.tif 000004
【図３】
0003123482.tif 000005
【図４】
0003123482.tif 000006
【手続補正書】
【提出日】平成18年5月9日(2006.5.9)
【手続補正１】
【補正対象書類名】実用新案登録請求の範囲
【補正対象項目名】請求項２
【補正方法】変更
【補正の内容】
【請求項２】
前記デジタルボードはマイクロフォンとラッパの挿孔を有し、マイクロフォンとラッパを挿接し、「書き込み」とコミュニケーションを実行することを特徴とする請求項１に記載のインターネットビデオ会議が可能なデジタルボード。
【手続補正書】
【提出日】平成18年6月7日(2006.6.7)
【手続補正１】
【補正対象書類名】実用新案登録請求の範囲
【補正対象項目名】全文
【補正方法】変更
【補正の内容】
【実用新案登録請求の範囲】
【請求項１】
インターネットビデオ会議が可能なデジタルボードであって、デジタルボードを主体とすると共にコンピュータと連結され、インターネットを基礎構造とし、インターネットの「書き込み」とコミュニケーションを実施するデジタルボードであって、その特徴は、
デジタルボード内部はラッパとマイクロフォンを内建し、音声はマイクロフォンにより受信され、前記デジタルボードにより対向するコンピュータ、或いは、デジタルボードに伝送されて、ボイスを伝送し、対向するコンピュータ、或いは、デジタルボードを経て、インターネットにより前記デジタルボードに送り、前記ラッパにより対向が伝達する音声を再生することを特徴とするインターネットビデオ会議が可能なデジタルボード。
【請求項２】
前記デジタルボードはマイクロフォンとラッパの挿孔を有し、マイクロフォンとラッパを挿接し、「書き込み」とコミュニケーションを実行することを特徴とする請求項１に記載のインターネットビデオ会議が可能なデジタルボード。
【請求項３】
前記デジタルボードはハブにより一つ、或いは、数個のUSBのカメラを連接し、ビデオ伝送功能を達することを特徴とする請求項１に記載のインターネットビデオ会議が可能なデジタルボード。
【請求項４】
前記デジタルボードは内建式カメラを採用し、同等の伝送効果を達することを特徴とする請求項１に記載のインターネットビデオ会議が可能なデジタルボード。